(57)【要約】【課題】無駄な電力消費を回避して省エネルギーを実現することができる照明器具を提供する。【解決手段】照明器具１は、交流電源ＡＣから供給された交流を直流に変換する整流回路１１と、整流回路１１の出力を昇圧する昇圧回路１３と、昇圧回路１３から出力された直流を高周波交流に変換してランプＬｐに供給するインバータ回路１６と、ランプＬｐに供給する第１定格電力または第２定格電力のいずれが選定されているかを示す定格電力選定信号Ｓｇ２３を生成する定格電力選定回路２３と、定格電力選定信号Ｓｇ２３に基づいて第１定格電力または第２定格電力のいずれかを特定する定格電力特定回路２５とを備え、定格電力特定回路２５は、特定した第１定格電力または第２定格電力のいずれかに対応させて昇圧回路１３およびインバータ回路１６を制御する構成とされている。【選択図】図１
2011014470.tif 000002
【特許請求の範囲】
【請求項１】
交流を直流に変換する整流回路と、前記整流回路の出力を昇圧する昇圧回路と、前記昇圧回路から出力された直流を高周波交流に変換してランプに供給するインバータ回路とを備えた照明器具であって、
前記ランプに供給する第１定格電力または第２定格電力のいずれが選定されているかを示す定格電力選定信号を生成する定格電力選定回路と、
前記定格電力選定信号に基づいて前記第１定格電力または前記第２定格電力のいずれかを特定する定格電力特定回路とを備え、
前記定格電力特定回路は、特定した前記第１定格電力または前記第２定格電力のいずれかに対応させて前記昇圧回路および前記インバータ回路を制御する構成とされていること
を特徴とする照明器具。
【請求項２】
請求項１に記載の照明器具であって、
前記定格電力選定回路は、前記第１定格電力または前記第２定格電力のいずれかの選定を受け付ける選定スイッチを備えること
を特徴とする照明器具。
【請求項３】
請求項２に記載の照明器具であって、
リモコン端末器からの調光用の光信号を受信するリモコン受光回路と、前記リモコン受光回路を収納した受光器筐体とを備え、
前記受光器筐体は、前記リモコン受光回路へ光信号を入射させる受光窓を備えて前記受光窓が構成する光軸を変位させるように回動する構成とされていること
を特徴とする照明器具。
【発明の詳細な説明】
【技術分野】
【０００１】
本発明は、インバータ回路を適用してランプに電力を供給する照明器具に関する。
【背景技術】
【０００２】
照明器具は、人類の生活に必要不可欠な製品であり、多種多用の場面で活用されている。また、使用状況に応じた光強度を確保するために調光機能を併せて持たせた照明器具が多く採用されるようになっている。
【０００３】
図５は、従来の照明器具の概略構成を示す回路ブロック図である。
【０００４】
従来例に係る照明器具は、交流電源ＡＣから供給された交流を直流に変換する整流回路１１１と、整流回路１１１の出力を昇圧する昇圧回路１１３と、昇圧回路１１３から出力された直流を高周波交流に変換してランプＬｐに供給するインバータ回路１１６とを備える。整流回路１１１は、例えば全波整流回路で構成され、昇圧回路１１３は、例えばチョッパー昇圧回路で構成される。また、インバータ回路１１６は、周波数調整回路１１７によって出力される高周波交流の周波数を変更する構成とされ、周波数を変更してランプＬｐに供給する電力を変更することによって調光する形態とされている。
【０００５】
従来例に係る照明器具は、リモコン端末器（不図示）からの調光用の光信号を受信するリモコン受光回路１２０と、リモコン受光回路１２０が受信した光信号に基づいてランプＬｐへ供給する電力を調整する調光回路１２２を備える。したがって、照明器具は、定格電力に対する比率を調整した調光電力（例えば１００％出力〜０％出力）をランプＬｐへ供給する構成とされ、リモコン制御による光強度の調整（調光）を容易に実行することができる構成とされている。
【０００６】
しかしながら、従来の照明器具では、定格電力は単一の設計とされていることから、単に調光制御によって調光電力を変更し、光強度を調整することができるだけであり、調光操作が煩雑になるという問題、使用環境に応じた適切な調光強度の設定が困難であり、また、設置場所によっては不要な電力を消費してしまうという問題が指摘されていた。つまり、調光制御に加えて省エネルギーモードでの動作を要求されるようになっている。
【０００７】
なお、調光機能を備えた照明器具を開示した先行文献として、例えば、特許文献１ないし特許文献４が開示されている。
【先行技術文献】
【特許文献】
【０００８】
【特許文献１】特開平２−６６８７９号公報
【特許文献２】特開平１０−６４６８４号公報
【特許文献３】特開２００２−３７３７９４号公報
【特許文献４】実開昭６２−９４５９８号公報
【発明の概要】
【発明が解決しようとする課題】
【０００９】
上述したとおり、従来の照明器具では、調光をすることはできても、定格電力自体を調整することはできないという問題があった。また、定格電力を調整することができないことから、調光の範囲も限られ省エネルギーモードとして十分に機能させることができないという問題があった。
【００１０】
本発明はこのような状況に鑑みてなされたものであり、定格電力を切り替える定格電力選定回路を設けることによって、定格電力を切り替えて使用環境に対応させた光強度を確保し、無駄な電力消費を回避して省エネルギーを実現することができる照明器具を提供することを目的とする。
【課題を解決するための手段】
【００１１】
本発明に係る照明器具は、交流を直流に変換する整流回路と、前記整流回路の出力を昇圧する昇圧回路と、前記昇圧回路から出力された直流を高周波交流に変換してランプに供給するインバータ回路とを備えた照明器具であって、前記ランプに供給する第１定格電力または第２定格電力のいずれが選定されているかを示す定格電力選定信号を生成する定格電力選定回路と、前記定格電力選定信号に基づいて前記第１定格電力または前記第２定格電力のいずれかを特定する定格電力特定回路とを備え、前記定格電力特定回路は、特定した前記第１定格電力または前記第２定格電力のいずれかに対応させて前記昇圧回路および前記インバータ回路を制御する構成とされていることを特徴とする。
【００１２】
したがって、本発明に係る照明器具は、定格電力選定回路によって第１定格電力および第２定格電力のいずれかを選定させ、選定された第１定格電力および第２定格電力のいずれかに対応させて定格電力特定回路が昇圧回路およびインバータ回路を制御する。つまり、本発明に係る照明器具は、全光状態（全灯状態）の光強度を第１定格電力または第２定格電力に対応させて容易に切り替えることができ、使用環境に応じた光強度を容易に選定することができる。本発明に係る照明器具は、環境に応じた光強度を選定することが可能であることから、無駄な電力消費を回避して省エネルギーを実現することができる。
【００１３】
また、本発明に係る照明器具は、供給する定格電力を切り替えて全灯状態を切り替えることから、単一の照明器具で少なくとも２種類の光強度を設定することができるので、照明器具としての仕様内容を拡大して需要範囲（適用範囲）を広げ、汎用性を持たせることが可能となり、延いては製造コストを抑制することができる。
【００１４】
また、本発明に係る照明器具では、前記定格電力選定回路は、前記第１定格電力または前記第２定格電力のいずれかの選定を受け付ける選定スイッチを備えることを特徴とする。
【００１５】
したがって、本発明に係る照明器具は、定格電力選定信号を容易に生成して定格電力特定回路を正確に機能させ、第１定格電力または第２定格電力の切り替えを容易に、かつ高精度に実行することができる。
【００１６】
また、本発明に係る照明器具では、リモコン端末器からの調光用の光信号を受信するリモコン受光回路と、前記リモコン受光回路を収納した受光器筐体とを備え、前記受光器筐体は、前記リモコン受光回路へ光信号を入射させる受光窓を備えて前記受光窓が構成する光軸を変位させるように回動する構成とされていることを特徴とする。
【００１７】
したがって、本発明に係る照明器具は、リモコン制御による調光が可能となり、リモコン受光回路へ光信号を入射させる受光窓が構成する光軸を変位させることから、受光感度を容易に、かつ高精度に調整することができる。
【発明の効果】
【００１８】
本発明に係る照明器具は、交流を直流に変換する整流回路と、整流回路の出力を昇圧する昇圧回路と、昇圧回路から出力された直流を高周波交流に変換してランプに供給するインバータ回路とを備えた照明器具であって、ランプに供給する第１定格電力または第２定格電力のいずれが選定されているかを示す定格電力選定信号を生成する定格電力選定回路と、定格電力選定信号に基づいて第１定格電力または第２定格電力のいずれかを特定する定格電力特定回路とを備え、定格電力特定回路は、特定した第１定格電力または第２定格電力のいずれかに対応させて昇圧回路およびインバータ回路を制御する構成とされていることを特徴とする。
【００１９】
したがって、本発明に係る照明器具は、定格電力選定回路によって第１定格電力および第２定格電力のいずれかを選定させ、選定された第１定格電力および第２定格電力のいずれかに対応させて定格電力特定回路が昇圧回路およびインバータ回路を制御する。つまり、本発明に係る照明器具は、全光状態（全灯状態）の光強度を第１定格電力または第２定格電力に対応させて容易に切り替えることができ、使用環境に応じた光強度を容易に選定することができるという効果を奏する。本発明に係る照明器具は、環境に応じた光強度を選定することが可能であることから、無駄な電力消費を回避して省エネルギーを実現することができるという効果を奏する。
【００２０】
また、本発明に係る照明器具は、供給する定格電力を切り替えて全灯状態を切り替えることから、単一の照明器具で少なくとも２種類の光強度を設定することができるので、照明器具としての仕様内容を拡大して需要範囲（適用範囲）を広げ、汎用性を持たせることが可能となり、延いては製造コストを抑制することができるという効果を奏する。
【図面の簡単な説明】
【００２１】
【図１】本発明の実施の形態１に係る照明器具の概略回路ブロックを示す回路ブロック図である。
【図２】図１に示した照明器具の定格電力選定回路の詳細構成を示す回路ブロック図である。
【図３】本発明の実施の形態２に係る照明器具のランプ面の平面状態を概念的に示す平面図である。
【図４Ａ】図３に示した照明器具の受光器筐体の詳細構成を示す斜視図である。
【図４Ｂ】図４Ａに示した受光器筐体を分解して示す分解斜視図である。
【図５】従来の照明器具の概略構成を示す回路ブロック図である。
【発明を実施するための形態】
【００２２】
以下、本発明の実施の形態を図面に基づいて説明する。
【００２３】
＜実施の形態１＞
図１および図２に基づいて、本実施の形態に係る照明器具について説明する。
【００２４】
図１は、本発明の実施の形態１に係る照明器具の概略回路ブロックを示す回路ブロック図である。
【００２５】
図２は、図１に示した照明器具の定格電力選定回路の詳細構成を示す回路ブロック図である。
【００２６】
本実施の形態に係る照明器具１は、交流電源ＡＣから供給された交流を直流に変換する整流回路１１と、整流回路１１の出力を昇圧する昇圧回路１３と、昇圧回路１３から出力された直流を高周波交流に変換してランプＬｐに供給するインバータ回路１６とを備える。整流回路１１は、例えば全波整流回路で構成され、昇圧回路１３は、例えばチョッパー昇圧回路で構成される。また、インバータ回路１６は、周波数調整回路１７によって出力される高周波交流の周波数を変更する構成とされ、周波数を変更してランプＬｐに供給する電力を変更することによって調光する形態とされている。
【００２７】
また、照明器具１は、ランプＬｐに供給する第１定格電力または第２定格電力のいずれが選定されているかを示す定格電力選定信号Ｓｇ２３を生成する定格電力選定回路２３と、定格電力選定信号Ｓｇ２３に基づいて第１定格電力または第２定格電力のいずれかを特定する定格電力特定回路２５とを備え、定格電力特定回路２５は、特定した第１定格電力または第２定格電力のいずれかに対応させて昇圧回路１３およびインバータ回路１６を制御する構成とされている。
【００２８】
したがって、本発明に係る照明器具１は、定格電力選定回路２３によって第１定格電力および第２定格電力のいずれかを選定させ、選定された第１定格電力および第２定格電力のいずれかに対応させて定格電力特定回路２５が昇圧回路１３およびインバータ回路１６を制御する構成とされている。
【００２９】
つまり、照明器具１は、全光状態（全灯状態）の光強度を第１定格電力または第２定格電力に対応させて容易に切り替えることができ、使用環境に応じた光強度を容易に選定することができる。したがって、照明器具１は、環境に応じた光強度を選定することが可能であることから、無駄な電力消費を回避して省エネルギーを実現することができる。
【００３０】
また、照明器具１は、供給する定格電力（第１定格電力または第２定格電力）を切り替えて全灯状態を切り替えることから、単一の照明器具１で少なくとも２種類の光強度を設定することができるので、照明器具１としての仕様内容を拡大して需要範囲（適用範囲）を広げ、汎用性を持たせることが可能となり、延いては製造コストを抑制することができる。
【００３１】
なお、第１定格電力とは、全灯状態（調光時の１００％出力状態）とするときの出力が例えば８６Ｗ（ワット）であることを示し、第２定格電力とは、全灯状態（調光時の１００％出力状態）とするときの出力が例えば７６Ｗ（ワット）であることを示す。
【００３２】
したがって、同一のランプを使用した場合に、全灯状態として第１定格電力を供給した状態と、全灯状態として第２定格電力を供給した状態とに切り替えて使用することが可能となり、使用環境に応じた定格電力を供給する形態とするので、使用者が自由に定格電力を選定することが可能となる。つまり、使用者は容易に出力仕様を選定することができるので、使用環境に応じた低消費電力での使用が可能となり、容易に省エネルギーモードを実現することができる。なお、ランプＬｐの本数は、適宜設定することが可能である。
【００３３】
照明器具１は、リモコン端末器（不図示）からの調光用の光信号を受信するリモコン受光回路２１と、リモコン受光回路２１が受信した光信号に基づいてランプＬｐへ供給する電力を調整する調光回路２２とを備える。
【００３４】
したがって、照明器具１は、第１定格電力または第２定格電力に対する比率を調整した調光電力（例えば１００％出力〜０％出力）をランプＬｐへ供給することから、リモコン制御による光強度の調整（調光）を容易に実行することができる。なお、リモコン受光回路２１は、リモコン端末器に対応してリモコン受光器２０を構成する。
【００３５】
照明器具１では、調光回路２２からの調光信号を周波数調整回路１７へ入力し、周波数調整回路１７は、調光信号に応じてインバータ回路１６が発生する高周波交流の周波数を調整する構成としてある。したがって、インバータ回路１６は、調光回路２２からの調光信号に応じてランプＬｐへ供給する電力を調整することによってランプＬｐの調光を実行する。
【００３６】
定格電力選定回路２３は、第１定格電力または第２定格電力のいずれかの選定を受け付ける選定スイッチ２４を備える。したがって、定格電力選定信号Ｓｇ２３を容易に生成して定格電力特定回路２５を正確に機能させ、第１定格電力または第２定格電力の切り替えを容易に、かつ高精度に実行することができる。
【００３７】
選定スイッチ２４は、リモコン受光回路２１に接続された電源を利用して、定格電力選定信号Ｓｇ２３を生成する。したがって、照明器具１は、リモコン受光器２０に収納されたリモコン受光回路２１（リモコン受光回路２１に電力を供給する電源）を利用して定格電力選定回路２３を構成することが可能となるので、簡単な構成で定格電力の選定を実行することができる。
【００３８】
本実施の形態では、定格電力選定回路２３は、リモコン受光回路２１に並置され、リモコン受光器２０に収納した形態とされている。したがって、リモコン受光回路２１に接続された電源のプラス側をハイレベルとして選定スイッチ２４のハイ端子Ｈｉを規定し、リモコン受光回路２１に接続された電源の基準側をローレベルとして選定スイッチ２４のロー端子Ｌｏを規定することができる。
【００３９】
例えば、通常状態を第１定格電力８６Ｗとし、選定スイッチ２４をロー端子Ｌｏに対応させた場合は、リモコン受光回路２１の電源での基準側の電位（ローレベル）が定格電力選定信号Ｓｇ２３とされる。また、定格電力を切り替えて省エネルギーモードの第２定格電力７６Ｗとし、選定スイッチ２４をハイ端子Ｈｉに対応させた場合は、リモコン受光回路２１の電源でのプラス側の電位（ハイレベル）が定格電力選定信号Ｓｇ２３となる。
【００４０】
なお、定格電力としての第１定格電力、第２定格電力と、選定スイッチ２４のハイ端子Ｈｉ、ロー端子Ｌｏとの関係は適宜設定することが可能であり、上述した例と逆に設定することも可能である。定格電力特定回路２５は、ＣＰＵ（中央処理装置）などの適宜の論理回路を組み込んで構成することが可能である。
【００４１】
昇圧回路１３は、出力レベルを調整する出力レベル調整回路１４を備え、インバータ回路１６は、出力する周波数を調整する周波数調整回路１７を備えてあり、定格電力特定回路２５は、定格電力選定信号Ｓｇ２３（ハイレベル、ローレベル）に基づいて、出力レベル調整回路１４に昇圧回路１３の出力レベルを調整させ、周波数調整回路１７にインバータ回路１６の周波数を調整させる構成とされている。
【００４２】
したがって、照明器具１は、第１定格電力または第２定格電力のいずれかを選定する定格電力選定信号Ｓｇ２３に基づいて、第１定格電力または第２定格電力のいずれかを特定し、第１定格電力または第２定格電力のいずれかを負荷としてのランプＬｐへ容易に、かつ高精度に供給することができる。
【００４３】
上述したとおり、定格電力選定信号Ｓｇ２３がローレベルのときは、定格電力は例えば通常の第１定格電力８６Ｗを供給する通常モードであり、定格電力選定信号Ｓｇ２３がハイレベルのときは、定格電力は例えば省エネルギーモードの第２定格電力７６Ｗを供給するモードである。通常モードのとき、定格電力特定回路２５は、出力レベル調整回路１４および周波数調整回路１７へハイレベル信号を供給して、昇圧回路１３およびインバータ回路１６を通常の動作状態とする。
【００４４】
また、選定スイッチ２４がローレベル状態からハイレベル状態へ切り替えられたとき、定格電力特定回路２５は、出力レベル調整回路１４および周波数調整回路１７へローレベル信号を供給する。したがって、昇圧回路１３は、昇圧回路１３の出力を低いレベルに変更し、インバータ回路１６は、周波数を高い値の周波数に変更することになり、照明器具１は、ランプＬｐへ供給する定格電力を第２定格電力へ変更することができる。
【００４５】
つまり、定格電力を大きい８６Ｗ（第１定格電力）から小さい７６Ｗ（第２定格電力）へ変更する場合は、昇圧回路１３からの出力を相対的に低いレベルに変更し、さらに、インバータ回路１６から出力する周波数を相対的に高い値とすることによって定格電力を容易に、かつ高精度に変更することができる。
【００４６】
＜実施の形態２＞
図３ないし図４Ｂに基づいて、本実施の形態に係る照明器具について説明する。
【００４７】
本実施の形態に係る照明器具１は、実施の形態１に係る照明器具１と同様であり、符号を援用し、主に異なる事項について説明する。
【００４８】
図３は、本発明の実施の形態２に係る照明器具のランプ面の平面状態を概念的に示す平面図である。
【００４９】
図４Ａは、図３に示した照明器具の受光器筐体の詳細構成を示す斜視図である。
【００５０】
図４Ｂは、図４Ａに示した受光器筐体を分解して示す分解斜視図である。
【００５１】
本実施の形態に係る照明器具１は、例えば２本のランプＬｐを固定する照明器具筐体１ｃを備えている。また、照明器具筐体１ｃには、リモコン受光器２０（リモコン受光回路２１）を収納した受光器筐体３０が配置され、受光器筐体３０は、リモコン受光回路２１へ光信号を導入する受光窓３５を備えている。
【００５２】
つまり、照明器具１は、リモコン受光回路２１を収納する受光器筐体３０を備え、受光器筐体３０は、リモコン受光回路２１へ光信号を入射させる受光窓３５を備えて受光窓３５が構成する光軸Ｌａｘを変位方向（例えば矢符Ｄｓ）で変位させるように回動する構成とされている。
【００５３】
したがって、本発明に係る照明器具１は、受光窓３５が構成する光軸Ｌａｘを変位させることから、受光感度を容易に、かつ高精度に調整することができる。
【００５４】
また、受光器筐体３０は、受光窓３５が配置された筐体表面３１と交差する筐体側面３２を備え、筐体側面３２に対向して両側に配置された案内板３６は、受光器筐体３０を回転させるように支持している。
【００５５】
したがって、照明器具１は、筐体側面３２に配置された案内板３６によって受光器筐体３０を安定した状態で回転させることが可能であるので、受光感度を容易に、かつ高精度に調整することができる。
【００５６】
なお、本実施の形態では、回転軸３４は、受光器筐体３０の筐体側面３２に配置され、案内板３６が有する回転軸支持穴３７へ挿入される形態としたが、案内板３６に対して受光器筐体３０が回転可能な形態となっていればどのような形態であっても良い。例えば、回転軸３４は、案内板３６、受光器筐体３０の双方を貫通する形態、案内板３６に設けられ受光器筐体３０に挿入される形態などとすることも可能である。
【００５７】
また、筐体側面３２は突起部３３を備え、案内板３６は突起部３３が嵌るように配置された複数の凹部３８を備えている。したがって、照明器具１は、受光窓３５の光軸Ｌａｘを容易に、かつ高精度に変位させて固定することが可能となり、受光感度を容易に、かつ高精度に調整することができる。また、受光感度を多段階に調整することが可能となり、使用環境に対応させた受光感度を設定できることから、精度および利便性を向上させることができる。
【００５８】
突起部３３は１つの筐体側面３２に対して１つで構成され、凹部３８は複数配置される。したがって、案内板３６に対して受光器筐体３０の回転位置を複数設定することができ、受光感度を複数レベルに変更することが可能となる。なお、凹部３８は、例えば５〜１０度程度の角度間隔で、例えば５〜１０個程度配置することが可能である。凹部３８は、案内板３６を貫通する形態とされていても良い。また突起部３３は、筐体側面３２に対して適宜の滑動性を有することが望ましい。
【００５９】
さらに、第１定格電力または第２定格電力のいずれかを選定することによって、ランプＬｐの光強度が変動し、影響がリモコン受光回路２１に及ぶ場合でも、ランプＬｐの光強度の影響を抑制してリモコン受光器２０を高精度に動作させることができる。
【００６０】
なお、受光器筐体３０の配置位置、受光器筐体３０の配置方向、凹部３８の配置ピッチ、凹部３８の配置範囲などは、ランプＬｐの形状、配置状態に応じて影響が異なることから、照明器具筐体１ｃの形状などを考慮して適宜設定することが望ましい。
【００６１】
上述したとおり、照明器具１は、ランプＬｐを固定する照明器具筐体１ｃを備える。また、案内板３６は、照明器具筐体１ｃに固定されている。したがって、照明器具１は、受光器筐体３０を安定して回転させることが可能となり、受光感度の調整を容易に、かつ高精度に実行することができる。
【００６２】
また、選定スイッチ２４は、受光器筐体３０に配置されている。したがって、照明器具１は、受光感度の調整および定格電力の選定を併せて実行することが可能となり、設置性、操作性を向上させることができる。
【００６３】
上述したとおり、本実施の形態に係る照明器具１は、リモコン端末器からの調光用の光信号を受信するリモコン受光回路２１と、リモコン受光回路２１を収納した受光器筐体３０とを備え、受光器筐体３０は、リモコン受光回路２１へ光信号を入射させる受光窓３５を備えて受光窓３５が構成する光軸Ｌａｘを変位させるように回動する構成とされている。
【００６４】
したがって、照明器具１は、リモコン制御による調光が可能となり、リモコン受光回路２１へ光信号を入射させる受光窓３５が構成する光軸Ｌａｘを変位させることから、受光感度を容易に、かつ高精度に調整することができる。
【符号の説明】
【００６５】
１  照明器具
１ｃ  照明器具筐体
１１  整流回路
１３  昇圧回路
１４  出力レベル調整回路
１６  インバータ回路
１７  周波数調整回路
２０  リモコン受光器
２１  リモコン受光回路
２２  調光回路
２３  定格電力選定回路
２４  選定スイッチ
２５  定格電力特定回路
３０  受光器筐体
３１  筐体表面
３２  筐体側面
３３  突起部
３４  回転軸
３５  受光窓
３６  案内板
３７  回転軸支持穴
３８  凹部
ＡＣ  交流電源
Ｈｉ  ハイ端子
Ｌａｘ  光軸
Ｌｏ  ロー端子
Ｌｐ  ランプ
Ｓｇ２３  定格電力選定信号
【図１】
2011014470.tif 000003
【図２】
2011014470.tif 000004
【図３】
2011014470.tif 000005
【図４Ａ】
2011014470.tif 000006
【図４Ｂ】
2011014470.tif 000007
【図５】
2011014470.tif 000008